(57)【特許請求の範囲】
【請求項１】
アクセスポイントと、前記アクセスポイントに対して無線通信によるアクセスが可能なステーションとの間で通信を行う際に用いるマルチプロトコル対応通信制御方法であって、
前記アクセスポイントは、前記ステーションのプロトコル情報が前記アクセスポイントでサポートしているプロトコル情報であるか否かを判定し、前記ステーションのプロトコル情報が前記アクセスポイントでサポートしていないプロトコル情報であると判定した場合には、デフォルトとして設定されているプロトコル情報を前記ステーションに対して送信し、
前記ステーションは、前記アクセスポイントから送信されたプロトコル情報を保存し、以降、前記アクセスポイントとの通信を行う際には、その保存されたプロトコル情報を用いて通信を行うことを特徴とするマルチプロトコル対応通信制御方法。
【請求項２】
前記アクセスポイントは、有線通信伝送路に接続され、前記有線通信伝送路と前記ステーションとの間のブリッジ機能を有することを特徴とする請求項１記載のマルチプロトコル対応通信制御方法。
【請求項３】
前記アクセスポイントが前記有線通信伝送路からの有線データを受信した場合で、かつ、前記有線データの宛先が或るステーションである場合には、前記アクセスポイントは、前記或るステーションが自己の管理下にあるステーションであるか否かを判定し、前記或るステーションが自己の管理下にあるステーションであると判定した場合には、前記或るステーションのプロトコル情報を前記受信した有線データにセットして、前記有線データを前記或るステーションに対して送信することを特徴とする請求項２記載のマルチプロトコル対応通信制御方法。
【請求項４】
前記アクセスポイントが無線データを受信した場合で、かつ、前記無線データの宛先が或るステーションである場合には、前記アクセスポイントは、前記或るステーションが自己の管理下にあるステーションであるか否かを判定し、前記或るステーションが自己の管理下にあるステーションであると判定した場合には、前記ステーションのプロトコル情報を前記受信した無線データにセットして、前記無線データを前記或るステーションに対して送信することを特徴とする請求項２記載のマルチプロトコル対応通信制御方法。
【請求項５】
前記アクセスポイントが前記ステーションからの無線データを受信した場合で、かつ、前記無線データの宛先が前記アクセスポイント自身であり、しかも、前記無線データが接続要求データである場合には、前記アクセスポイントは、前記接続要求データにセットされているプロトコル情報が前記アクセスポイントでサポートしているプロトコル情報であるか否かを判定し、前記接続要求データにセットされているプロトコル情報が前記アクセスポイントでサポートしているプロトコル情報であると判定した場合には、それによって前記ステーションとの間で通信を確立して通信動作を行い、前記接続要求データにセットされているプロトコル情報が前記アクセスポイントでサポートしていないプロトコル情報であると判定した場合には、前記アクセスポイントにデフォルトとして設定されているプロトコル情報を接続応答データにセットして前記ステーションに対して送信し、それを受け取った前記ステーションは、前記アクセスポイントから送信されたプロトコル情報を保存し、以降、前記アクセスポイントとの通信を行う際には、その保存されたプロトコル情報を用いて通信を行うことを特徴とする請求項２記載のマルチプロトコル対応通信制御方法。
【請求項６】
制御部と、プロトコル情報を管理するプロトコル管理部と、プロトコル情報を保持する記憶手段と、ステーションに関する情報を保持するデータベースとを有するアクセスポイントと、
制御部と、プロトコル情報を管理するプロトコル管理部と、プロトコル情報を保持する記憶手段とを有し、前記アクセスポイントに対して無線通信によるアクセスが可能なステーションとを有するマルチプロトコル対応通信システムであって、
前記アクセスポイントは、前記自己の記憶手段にデフォルトとして設定されているプロトコル情報を保持し、前記ステーションとの間で無線通信を行う際、前記自己の制御部の指示によって自己のプロトコル管理部が、前記ステーションのプロトコル情報が前記アクセスポイント自身でサポートしているプロトコル情報であるか否かを判定し、前記ステーションのプロトコル情報が前記アクセスポイント自身でサポートしていないプロトコル情報であると判定した場合には、前記デフォルトとして設定されているプロトコル情報を前記自己の記憶手段から読み出してそれを前記ステーションに対して送信し、
前記ステーションは、自己の制御部の指示によって自己のプロトコル管理部が前記アクセスポイントから送信されたプロトコル情報を自己の記憶手段に保存し、以降、前記アクセスポイントとの通信を行う際には、前記記憶手段に保存されたプロトコル情報を用いて通信を行うことを特徴とするマルチプロトコル対応通信システム。
【請求項７】
前記アクセスポイントは、有線通信伝送路に接続され、前記有線通信伝送路と前記ステーションとの間のブリッジ機能を有することを特徴とする請求項６記載のマルチプロトコル対応通信システム。
【請求項８】
前記アクセスポイントが前記有線通信伝送路からの有線データを受信した場合で、かつ、前記有線データの宛先が或るステーションである場合には、前記アクセスポイントは、前記或るステーションが自己の管理下にあるステーションであるか否かを判定し、前記或るステーションが自己の管理下にあるステーションであると判定した場合には、前記ステーションのプロトコル情報を前記受信した有線データにセットして、前記有線データを前記或るステーションに対して送信することを特徴とする請求項７記載のマルチプロトコル対応通信システム。
【請求項９】
前記アクセスポイントが無線データを受信した場合で、かつ、前記無線データの宛先が或るステーションである場合には、前記アクセスポイントは、前記或るステーションが自己の管理下にあるステーションであるか否かを判定し、前記或るステーションが自己の管理下にあるステーションであると判定した場合には、そのステーションのプロトコル情報を前記受信した無線データにセットして、前記無線データを前記或るステーションに対して送信することを特徴とする請求項７記載のマルチプロトコル対応通信システム。
【請求項１０】
前記アクセスポイントが前記ステーションからの無線データを受信した場合で、かつ、前記無線データの宛先が前記アクセスポイント自身であり、しかも、前記無線データが接続要求データである場合には、前記アクセスポイントは、前記接続要求データにセットされているプロトコル情報が前記アクセスポイントでサポートしているプロトコル情報であるか否かを判定し、前記接続要求データにセットされているプロトコル情報が前記アクセスポイントでサポートしているプロトコル情報であると判定した場合には、それによって前記ステーションとの間で通信を確立して通信動作を行い、前記接続要求データにセットされているプロトコル情報が前記アクセスポイントでサポートしてないプロトコル情報であると判定した場合には、前記アクセスポイントにデフォルトとして設定されているプロトコル情報を接続応答データにセットして前記ステーションに対して送信し、それを受け取った前記ステーションは、前記アクセスポイントから通知されたプロトコル情報を保存し、以降、前記アクセスポイントとの通信を行う際には、その保存されたプロトコル情報を用いて通信を行うことを特徴とする請求項７記載のマルチプロトコル対応通信システム。
【請求項１１】
アクセスポイントと、前記アクセスポイントに対して無線通信によるアクセスが可能なステーションとの間で通信を行うマルチプロトコル対応通信システムに用いるマルチプロトコル対応通信制御プログラムであって、
前記アクセスポイントに、前記ステーションのプロトコル情報が前記アクセスポイントでサポートしているプロトコル情報であるか否かを判定させ、前記ステーションのプロトコル情報が前記アクセスポイントでサポートしていないプロトコル情報であると判定した場合には、デフォルトとして設定されているプロトコル情報を前記ステーションに対して送信させる手順と、
前記ステーションに、前記アクセスポイントから送信されたプロトコル情報を保存させ、以降、前記アクセスポイントとの通信を行う際には、その保存されたプロトコル情報を用いて通信を行わせる手順とを有することを特徴とするマルチプロトコル対応通信制御処理プログラム。
【請求項１２】
前記アクセスポイントは、有線通信伝送路に接続され、前記有線通信伝送路と前記ステーションとの間のブリッジ機能を有することを特徴とする請求項１１記載のマルチプロトコル対応通信制御処理プログラム。
【請求項１３】
前記アクセスポイントが前記有線通信伝送路からの有線データを受信した場合で、かつ、その有線データの宛先が或るステーションである場合には、前記アクセスポイントに、前記或るステーションが自己の管理下にあるステーションであるか否かを判定させ、前記或るステーションが自己の管理下にあるステーションであると判定した場合には、前記ステーションのプロトコル情報を前記受信した有線データにセットして、前記有線データを前記或るステーションに対して送信させる手順をさらに有することを特徴とする請求項１２記載のマルチプロトコル対応通信制御処理プログラム。
【請求項１４】
前記アクセスポイントが無線データを受信した場合で、かつ、その無線データの宛先が或るステーションである場合には、前記アクセスポイントに、前記或るステーションが自己の管理下にあるステーションであるか否かを判定させ、前記或るステーションが自己の管理下にあるステーションであると判定した場合には、前記ステーションのプロトコル情報を前記受信した無線データにセットして、前記無線データを前記或るステーションに対して送信させる手順をさらに有することを特徴とする請求項１２記載のマルチプロトコル対応通信制御処理プログラム。
【請求項１５】
前記アクセスポイントが前記ステーションからの無線データを受信した場合で、かつ、前記無線データの宛先が自己のアクセスポイントであり、しかも、前記無線データが接続要求データである場合には、
前記アクセスポイントに、前記接続要求データにセットされているプロトコル情報が前記アクセスポイント自身でサポートしているプロトコル情報であるか否かを判定させ、前記接続要求データにセットされているプロトコル情報が前記アクセスポイント自身でサポートしているプロトコル情報であると判定した場合には、それによって前記ステーションとの間で通信を確立して通信動作を行なわせ、前記接続要求データにセットされているプロトコル情報が前記アクセスポイント自身でサポートしていないプロトコル情報であると判定した場合には、前記アクセスポイントにデフォルトとして設定されているプロトコル情報を接続応答データにセットして前記ステーションに対して送信させる手順と、  前記ステーションに、前記アクセスポイントから通知されたプロトコル情報を保存させ、以降、前記アクセスポイントとの通信を行う際には、その保存されたプロトコル情報を用いて通信を行なわせる手順をさらに有することを特徴とする請求項１２記載のマルチプロトコル対応通信制御処理プログラム。
【発明の詳細な説明】
【０００１】
【発明の属する技術分野】
本発明は有線通信伝送路としての有線ＬＡＮに接続されたアクセスポイントとこのアクセスポイントとの間で無線通信が可能なステーションとを有する通信システムにおいて、通信を行う際に必要なプロトコルの違いを吸収した通信を可能とするマルチプロトコル対応通信制御方法及びマルチプロトコル対応通信システム並びにマルチプロトコル対応通信制御処理プログラムに関する。
【０００２】
【従来の技術】
従来より情報処理機器間の通信手段としてＬＡＮ（Local Area Network）が普及してきている。このＬＡＮは従来では有線ＬＡＮが一般的であったが、この有線ＬＡＮは、そのＬＡＮに接続された情報処理機器の設置場所や移設に制約があったり、ケーブリングの複雑さなど様々な問題がある。
【０００３】
また、最近では携帯可能な情報処理機器の普及もめざましく、このような機器を用いてネットワークを構築する場合には、無線でのネットワーク化が望まれ、最近では無線ＬＡＮについての技術開発が盛んに行われるようになってきた。
【０００４】
たとえば、図１に示されるような通信システムがある。この図１の通信システムは、有線ＬＡＮ１で接続された幾つかのアクセスポイントＡＰ１，ＡＰ２．・・・と、これら幾つかのアクセスポイントＡＰ１，ＡＰ２．・・・の中のどれかのアクセスポイントに対し、無線通信によってアクセス可能な幾つかのステーションＳＴ１、ＳＴ２，・・・が存在する。
【０００５】
【発明が解決しようとする課題】
図１のようなシステムにおいて通信を行う際は、従来、有線ＬＡＮと無線ＬＡＮとのブリッジ機能としての役目も果たすアクセスポイントが、それぞれのＬＡＮに対応したプロトコルの変換を行っている。たとえば、無線ＬＡＮから有線ＬＡＮにフレームを送る場合には、有線ＬＡＮでサポートされているプロトコルに変換（フレームのフォーマットを変更）して送信し、逆に、有線ＬＡＮから無線ＬＡＮにフレームを送る場合には、無線ＬＡＮでサポートされているプロトコルに変換（フレームのフォーマットを変更）して送信するというような処理を行う。
【０００６】
このようなプロトコル変換方法では、サポートされているプロトコルの種類だけプロトコル変換を行うための装置が必要となり、通信端末の規模が大きくなり、コストアップにつながることになる。また、不明なプロトコルの場合は、そのプロトコルに対応した新たなプロトコル変換装置を追加する必要がある。
【０００７】
そこで本発明は、異なったプロトコルを吸収した通信を可能とし、特に、有線通信伝送路としての有線ＬＡＮに接続されたアクセスポイントと、このアクセスポイントとの間で無線通信が可能なステーションとを有する通信システムに好適なマルチプロトコル対応通信制御方法及びマルチプロトコル対応通信システム並びにマルチプロトコル対応通信制御処理プログラムを提供することを目的としている。
【０００８】
【課題を解決するための手段】
本発明のマルチプロトコル対応通信制御方法は、アクセスポイントと、前記アクセスポイントに対して無線通信によるアクセスが可能なステーションとの間で通信を行う際に用いるマルチプロトコル対応通信制御方法であって、前記アクセスポイントは、前記ステーションのプロトコル情報が前記アクセスポイントでサポートしているプロトコル情報であるか否かを判定し、前記ステーションのプロトコル情報が前記アクセスポイントでサポートしていないプロトコル情報であると判定した場合には、デフォルトとして設定されているプロトコル情報を前記ステーションに対して送信し、前記ステーションは、前記アクセスポイントから送信されたプロトコル情報を保存し、以降、前記アクセスポイントとの通信を行う際には、その保存されたプロトコル情報を用いて通信を行うことを特徴とする。
【０００９】
本発明のマルチプロトコル対応通信システムは、制御部と、プロトコル情報を管理するプロトコル管理部と、プロトコル情報を保持する記憶手段と、ステーションに関する情報を保持するデータベースとを有するアクセスポイントと、制御部と、プロトコル情報を管理するプロトコル管理部と、プロトコル情報を保持制御部と、プロトコル情報を管理するプロトコル管理部と、プロトコル情報を保持する記憶手段と、ステーションに関する情報を保持するデータベースとを有するアクセスポイントと、制御部と、プロトコル情報を管理するプロトコル管理部と、プロトコル情報を保持する記憶手段とを有し、前記アクセスポイントに対して無線通信によるアクセスが可能なステーションとを有するマルチプロトコル対応通信システムであって、前記アクセスポイントは、前記自己の記憶手段にデフォルトとして設定されているプロトコル情報を保持し、前記ステーションとの間で無線通信を行う際、前記自己の制御部の指示によって自己のプロトコル管理部が、前記ステーションのプロトコル情報が前記アクセスポイント自身でサポートしているプロトコル情報であるか否かを判定し、前記ステーションのプロトコル情報が前記アクセスポイント自身でサポートしていないプロトコル情報であると判定した場合には、前記デフォルトとして設定されているプロトコル情報を前記自己の記憶手段から読み出してそれを前記ステーションに対して送信し、前記ステーションは、自己の制御部の指示によって自己のプロトコル管理部が前記アクセスポイントから送信されたプロトコル情報を自己の記憶手段に保存し、以降、前記アクセスポイントとの通信を行う際には、前記記憶手段に保存されたプロトコル情報を用いて通信を行うことを特徴とする。
【００１０】
本発明のマルチプロトコル対応通信制御処理プログラムは、アクセスポイントと、前記アクセスポイントに対して無線通信によるアクセスが可能なステーションとの間で通信を行うマルチプロトコル対応通信システムに用いるマルチプロトコル対応通信制御プログラムであって、前記アクセスポイントに、前記ステーションのプロトコル情報が前記アクセスポイントでサポートしているプロトコル情報であるか否かを判定させ、前記ステーションのプロトコル情報が前記アクセスポイントでサポートしていないプロトコル情報であると判定した場合には、デフォルトとして設定されているプロトコル情報を前記ステーションに対して送信させる手順と、前記ステーションに、前記アクセスポイントから送信されたプロトコル情報を保存させ、以降、前記アクセスポイントとの通信を行う際には、その保存されたプロトコル情報を用いて通信を行わせる手順とを有することを特徴とする。
【００１１】
これら各発明において、前記アクセスポイントは、有線通信伝送路に接続され、前記有線通信伝送路と前記ステーションとの間のブリッジ機能を有している。
【００１２】
このように、前記アクセスポイントが、有線通信伝送路に接続され、前記有線通信伝送路と前記ステーションとの間のブリッジ機能を有しているものであって、前記アクセスポイントが前記有線通信伝送路からの有線データを受信した場合で、かつ、前記有線データの宛先が或るステーションである場合には、前記アクセスポイントは、前記或るステーションが自己の管理下にあるステーションであるか否かを判定し、前記或るステーションが自己の管理下にあるステーションであると判定した場合には、前記ステーションのプロトコル情報を前記受信した有線データにセットして、前記有線データを前記或るステーションに対して送信するようにしている。
【００１３】
また、前記アクセスポイントが、有線通信伝送路に接続され、前記有線通信伝送路と前記ステーションとの間のブリッジ機能を有しているものであって、前記アクセスポイントが無線データを受信した場合で、かつ、前記無線データの宛先が或るステーションである場合には、前記アクセスポイントは、前記或るステーションが自己の管理下にあるステーションであるか否かを判定し、前記或るステーションが自己の管理下にあるステーションであると判定した場合には、前記ステーションのプロトコル情報を前記受信した無線データにセットして、前記無線データを前記或るステーションに対して送信するようにしている。
【００１４】
さらに、前記アクセスポイントが、有線通信伝送路に接続され、前記有線通信伝送路と前記ステーションとの間のブリッジ機能を有しているものであって、前記アクセスポイントが前記ステーションからの無線データを受信した場合で、かつ、前記無線データの宛先が前記アクセスポイント自身であり、しかも、前記無線データが接続要求データである場合には、前記アクセスポイントは、前記接続要求データにセットされているプロトコル情報が前記アクセスポイントでサポートしているプロトコル情報であるか否かを判定し、前記接続要求データにセットされているプロトコル情報が前記アクセスポイントでサポートしているプロトコル情報であると判定した場合には、それによって前記ステーションとの間で通信を確立して通信動作を行い、前記接続要求データにセットされているプロトコル情報が前記アクセスポイントでサポートしていないプロトコル情報であると判定した場合には、前記アクセスポイントにデフォルトとして設定されているプロトコル情報を接続応答データにセットして前記ステーションに対して送信し、それを受け取った前記ステーションは、前記アクセスポイントから送信されたプロトコル情報を保存し、以降、前記アクセスポイントとの通信を行う際には、その保存されたプロトコル情報を用いて通信を行うようにしている。
【００１５】
このように本発明は、アクセスポイントとステーションとの間で無線通信を行う際、ステーションのプロトコル情報がアクセスポイントでサポートされていないプロトコル情報である場合には、デフォルトとして設定されたプロトコル情報をステーションに対して送信し、そのステーションは送信されたプロトコル情報を用いてアクセスポイントとの間で通信を行うようにしている。
【００１６】
これによって、たとえば、アクセスポイントに対し、多数のステーションが存在するような場合、それぞれのプロトコルが異なっていても、その違いを吸収した通信が可能となる。従来ではそれぞれのプロトコルに対応したプロトコル変換装置が必要であったが、本発明によれば、その必要がなくなり、装置規模を小さくすることができ、低コスト化も図れる。
【００１７】
また、アクセスポイントは、前記ステーションに対するアクセスポイントとしての役目を果たすとともに、前記有線通信伝送路と前記ステーションとの間のブリッジ機能を有している。本発明は、有線通信伝送路としてたとえば有線ＬＡＮに接続されたアクセスポイントと、このアクセスシポイント端末に対し無線通信によりアクセス可能なステーションが存在するいわゆる無線ＬＡＮシステムにおいて、これらのそれぞれの端末間で相互通信を行う際、プロトコルの違いを吸収した通信が可能となるので、このような無線ＬＡＮシステムに適用されることにより大きな効果を得ることができる。
【００１８】
たとえば、このようなシステムにおいて、前記アクセスポイントが前記有線通信伝送路からの有線データを受信した場合で、かつ、前記有線データの宛先が或るステーションである場合には、前記アクセスポイントは、前記或るステーションが自己の管理下にあるステーションであるか否かを判定し、前記或るステーションが自己の管理下にあるステーションであると判定した場合には、前記ステーションのプロトコル情報を前記受信した有線データにセットして、前記有線データを前記或るステーションに対して送信するようにしている。
【００１９】
これによって、アクセスポイントを介して送られて来た或るステーション宛の有線データを、その有線データの宛先であるステーションに対して送信する際、プロトコルの違いを吸収した通信を行うことができる。
【００２０】
また、上述したシステムにおいて、前記アクセスポイントが無線データを受信した場合で、かつ、前記無線データの宛先が或るステーションである場合には、前記アクセスポイントは、前記或るステーションが自己の管理下にあるステーションであるか否かを判定し、前記或るステーションが自己の管理下にあるステーションであると判定した場合には、前記ステーションのプロトコル情報を前記受信した無線データにセットして、前記無線データを前記或るステーションに対して送信するようにしている。
【００２１】
これによって、アクセスポイントを介して送られて来た或るステーション宛の無線データを、その無縁データの宛先であるステーションに対して送信する際、プロトコルの違いを吸収した通信を行うことができる。
【００２２】
さらに、上述したシステムにおいて、前記アクセスポイントが前記ステーションからの無線データを受信した場合で、かつ、前記無線データの宛先が前記アクセスポイント自身であり、しかも、前記無線データが接続要求データである場合には、前記アクセスポイントは、前記接続要求データにセットされているプロトコル情報が前記アクセスポイントでサポートしているプロトコル情報であるか否かを判定し、前記接続要求データにセットされているプロトコル情報が前記アクセスポイントでサポートしているプロトコル情報であると判定した場合には、それによって前記ステーションとの間で通信を確立して通信動作を行い、前記接続要求データにセットされているプロトコル情報が前記アクセスポイントでサポートしていないプロトコル情報であると判定した場合には、前記アクセスポイントにデフォルトとして設定されているプロトコル情報を接続応答データにセットして前記ステーションに対して送信し、それを受け取った前記ステーションは、前記アクセスポイントから送信されたプロトコル情報を保存し、以降、前記アクセスポイントとの通信を行う際には、その保存されたプロトコル情報を用いて通信を行うようにしている。
【００２３】
これによって、ステーションとアクセスポイントとの間で通信を行う際、ステーションのプロトコル情報がアクセスポイント側でサポートされていなくても、アクセスポイント側でデフォルトとして設定されたプロトコル情報によって通信が可能となり、プロトコルの違いを吸収した通信が可能となる。
【００２４】
【発明の実施の形態】
以下、本発明の実施の形態について説明する。なお、この実施の形態で説明する内容は、本発明のマルチプロトコル対応通信制御方法及びマルチプロトコル対応通信システムについての説明であるとともに、本発明のマルチプロトコル対応通信制御処理プログラムの具体的な処理内容をも含むものである。
【００２５】
図１は本発明の実施の形態を説明するための概略的なシステム構成図であり、有線通信伝送路としての有線ＬＡＮ１に接続された少なくとも１つのアクセスポイント（ここでは複数のアクセスポイントが存在し、これらをアクセスポイントＡＰ１，ＡＰ２．・・・で表す）と、これらアクセスポイントＡＰ１，ＡＰ２．・・・に対し無線通信によるアクセスが可能な少なくとも１つのステーション（ここでは複数のステーションが存在し、これらをステーションＳＴ１，ＳＴ２．・・・で表す）を有している。
【００２６】
アクセスポイントＡＰ１，ＡＰ２．・・・は、ステーションＳＴ１，ＳＴ２．・・・に対するアクセスポイントとしての役目を果たすとともに、前記有線ＬＡＮ１とステーションＳＴ１，ＳＴ２．・・・との間のブリッジ機能を果たす。
【００２７】
図２はアクセスポイントＡＰ１，ＡＰ２．・・・及びテーション端末ＳＴ１，ＳＴ２，・・・のそれぞれの構成を示すものであるが、ここでは、それぞれを代表してアクセスポイントＡＰ１とステーションＳＴ１の構成についてを説明する。
【００２８】
アクセスポイントＡＰ１は、有線ＬＡＮ３０との間での信号送受信を可能とするための有線信号送受信部１１、このアクセスポイントＡＰ１全体を制御する制御部（ＣＰＵ）１２、いずれかのステーションとの間での信号送受信を可能とするための無線信号送受信部１３、送受信されるデータを保持するためのバッファメモリ１４、このアクセスポイントＡＰ１でサーポートされているプロトコル情報を格納する不揮発性メモリであるプロトコルメモリ１５、論理的に接続されたステーションを管理するためのステーションリストを格納したステーション情報データベース１６、プロトコル管理部１７（このプロトコル管理部１７が行う処理については後に説明する）などを有した構成となっている。
【００２９】
このように、アクセスポイントＡＰ１は、有線信号送受信部１１と無線信号送受信部１３を有し、有線ＬＡＮと無線ＬＡＮとの間で送受信されるフレームをブリッジする機能を有している。なお、有線信号送受信部は１１、たとえば、一般的に知られているＣＳＭＡ／ＣＤ（Carrier Sense Multiple Access with Collision Detection）方式を採用し、無線信号送受信部１３は、たとえば、一般的に知られているＣＳＭＡ／ＣＡ（Carrier Sense Multiple Access with Collision
Avoidance）方式を採用している。
【００３０】
一方、ステーションＳＴ１は、いずれかのアクセスポイントとの間での信号送受信を可能とするための無線信号送受信部２１と、このステーションＳＴ１全体を制御する制御部（ＣＰＵ）２２、送受信されるデータを保持するためのバッファメモリ２３、不揮発性メモリであるプロトコルメモリ２４、プロトコル管理部２５などを有した構成となっている。なお、この無線信号送受信部２１も、前述したＣＳＭＡ／ＣＡ（Carrier Sense Multiple Access with Collision Avoidance）方式が採用されている。
【００３１】
図３は本発明で用いられるフレームの構成を示すもので、宛先アドレスＤＡ、送信元アドレスＳＡ、フレームの種類などが記述されるコントロールフィールドＣＦ、データ部ＤＴ、エラーチェックコードＣＲＣなどから構成されている。フレームの種類としては、たとえば、接続要求フレーム、接続応答フレーム、ＡＣKフレーム、データフレームなど様々な種類があり、それぞれの種類を示す情報がセットされる。また、データ部ＤＴには、その時に送られるデータがセットされ、プロトコル情報もこのデータ部ＤＴにセットされる。なお、データ無しという場合もある。
【００３２】
本発明の主な動作について概略的に説明する。ステーションＳＴ１が起動すると、アクセスポイントを探す。アクセスポイントが存在しない場合には待機状態となる。アクセスポイントからは定期的にビーコンが発せられているいるため、これを受信することでアクセスポイントを探し出すことができる。アクセスポイント（アクセスポイントＡＰ１とする）が見つかると、ビーコンに設定されているアクセスポイントＡＰ１のアドレスに対して、接続要求フレームを送信する。その接続要求フレームの中に、アクセスポイントＡＰ１との間で通信を行うに必要なプロトコル情報をセットしてそれをアクセスポイントＡＰ１に送る。
【００３３】
アクセスポイントＡＰ１側では、ステーションＳＴ１からの接続要求フレームを受信すると、その接続要求フレーム中にセットされているプロトコル情報をプロトコル管理部１７で解析し、アクセスポイントＡＰ１側でサポートしているプロトコル情報であるか否かを調べる。その結果、サポートしているプロトコル情報であれば、そのまま接続処理を行う。
【００３４】
一方、ステーションＳＴ１からの接続フレーム中に記述されているプロトコル情報が、アクセスポイントＡＰ１側でサポートしていないプロトコル情報である場合には、アクセスポイントＡＰ１側で予めデフォルトとして設定されているプロトコル情報をプロトコルメモリ１５から取り出して、そのプロトコル情報をステーションＳＴ１に送信する。これによって、ステーションＳＴ１では送られてきたプロトコル情報をプロトコル管理部２５がプロトコルメモリ２４に格納して、以降、ステーションＳＴ１はこのプロトコルメモリ２４に有るプロトコル情報をプロトコル管理部２５が読み出して、そのプロトコル情報を用いて通信を行う。
【００３５】
以下、図４から図７のフローチャートを参照しながら全体的な動作について詳細に説明する。この図４から図７に示されるフローチャートはアクセスポイントＡＰ１の制御部１２またはステーションＳＴ１の制御部２２が主に行う動作である。なお、本発明は、ステーションが複数存在する場合、ステーション間の通信を行うこともできるが、この実施の形態では、ステーションＳＴ１とアクセスポイントＡＰ１との間で通信を行う場合について説明する。
【００３６】
図４において、アクセスポイントＡＰ１のパラメータの初期設定を行う（ステップｓ１）。この初期設定としては、たとえば、デフォルトとして設定されるプロトコル（デフォルトプロトコルという）をどのような内容とするかや、それに対応するプロトコル番号、バージョンなどがデフォルトプロトコル情報として登録される。
【００３７】
このように初期設定されたデフォルトプロトコル情報をプロトコル管理部に通知（ステップｓ２）したのち、タイマをスタートさせる（ステップｓ３）。このタイマは制御部１２内に設けられているもので、ここでは、ビーコンを定期的に発生させるためのタイマ動作を行う。
【００３８】
そして、有線ＬＡＮ１からのフレーム（有線データという）を受信したか否かを判定し（ステップｓ４）、有線データを受信した場合には、図５の処理に入る。なお、この図５の処理については後述する。
【００３９】
一方、有線データの受信でないと判定した場合には、無線ＬＡＮからのフレーム（無線データという）を受信したか否かを判定する（ステップｓ５）。ここで、無線データの受信でないと判定した場合には、タイマの設定値に達したか否かを調べ（ステップｓ６）、設定値に達していなければステップ４に戻り、設定値に達していれば、タイマストップとなり（ステップｓ７）、ビーコンフレームを無線信号送受信部１３に転送し（ステップｓ８）、ビーコンが発せられ、その後、ステップｓ４に戻る。つまり、ここでのタイマ動作はビーコンを一定時間ごとに発生させるものであり、タイマセットがなされたあと、有線データまたは無線データの受信がなければ、タイマセットされてから所定時間後にビーコンが発せされることになる。
【００４０】
ところで、上述のステップｓ４の判断処理において、有線データ受信有りと判定された場合には、図５の処理に入るが、これを図５のフローチャートを参照しながら説明する。
【００４１】
図５において、まず、その有線データが自分宛であるか否かを判定し（ステップｓ３１）、自分宛であれば、その有線データをバッファメモリ１４に転送し（ステップｓ３２）、そのあと、図４のステップｓ５に処理が移る。また、有線データが自分宛でなければ、Broadcast／Multicastフレームであるか否かを調べ（ステップｓ３３）、 Broadcast／Multicastフレームである場合にはバッファメモリ１４に転送（ステップｓ３２）したのち、図４のステップｓ５に処理が移る。
【００４２】
また、自分宛でもなく、Broadcast／Multicastフレームでもない場合には、プロトコル管理部１７に対し、ステーション情報データベース（以下、単にデータベースという）１６内に格納されているステーションリストを検索する指示を与える（ステップｓ３４）。
【００４３】
これによって、プロトコル管理部１７がそのステーションリストの中に、当該有線データのフレームにセットされているアドレスを有したステーションがあるかどうかを調べ（ステップｓ３５）、そのステーションリストの中に、該当するアドレスを有したステーションがなければ、受信した有線データ（フレーム）を破棄する（ステップｓ３６）。
【００４４】
また、そのステーションリストの中に、該当するアドレスを有したステーションがあれば、受信した有線データのフレームにセットされている送信元アドレスＳAに、自己のアドレスをセット（ステップｓ３７）するとともに、そのステーションとの間でどのようなプロトコルが設定されているかをプロトコル管理部１７に調べるよう指示する。これによって、プロトコル管理部１７はプロトコルメモリ１５の内容を調べ、当該ステーションに対応して設定されているプロトコルを抽出しそれを受信データのフレームのデータ部ＤＴ（図３参照）にセットする（ステップｓ３８）。
【００４５】
そして、このような設定がなされたフレーム（受信した有線データ）を無線信号送受信部１３へ転送する（ステップｓ３９）。これによって、そのフレームは無線信号送受信部１３から発信される。このステップｓ３９の処理がなされると、図４のステップｓ５に処理が移る。
【００４６】
ところで、図４におけるステップｓ５の判断処理において、無線データ受信有りと判定された場合には、その無線データが自己宛であるか否かを判定し（ステップｓ９）、自己宛であれば図６の処理に入る。この図６の処理については後に説明する。一方、自己宛でなければ、Broadcast／Multicastフレームであるか否かを調べ（ステップｓ１０）、 Broadcast／Multicastフレームである場合には、それを自己のバッファメモリ１４に転送し（ステップｓ１１）、ステップｓ６に処理が移る。
【００４７】
また、自己宛でもなく、Broadcast／Multicastフレームでもない場合には、プロトコル管理部１７に対し、データベース１６内に格納されたステーションリストを検索する指示を与える（ステップｓ１２）。これによって、プロトコル管理部１７がそのステーションリストの中に該当するアドレスを有したステーションがあるかどうかを調べ（ステップｓ１３）、当該無線データのフレームにセットされているアドレスを有したステーションがあれば、受信した無線データのフレーム（図３に示された送信元アドレスＳAの欄）に、自己のアドレスをセット（ステップｓ１４）するとともに、そのステーションとの間でどのようなプロトコルが設定されているかを、プロトコル管理部１７に調べるよう指示する。
【００４８】
これによって、プロトコル管理部１７はプロトコルメモリ１５の内容を調べ、当該ステーションに対応して設定されているプロトコル情報を抽出しそれをセットする（ステップｓ１５）。
【００４９】
そして、このような設定がなされたフレーム（受信した無線データ）を無線信号送受信部１３へ転送する（ステップｓ１６）。これによって、そのフレームは無線信号送受信部１３から発信される。このステップｓ１６の処理がなされると、ステップｓ６に処理が移る。
【００５０】
また、データベース１６内のステーションリストの中に該当するアドレスを有したステーションがなければ（ステップｓ１３）、そのフレームを有線信号送受信部１１へ転送し（ステップｓ１７）、そのデータを有線ＬＡＮ１に送出してステップｓ６に処理が移る。
【００５１】
なお、このように、自己宛でもなく、Broadcast／Multicastフレームでもなく、さらに、自己が管理しているステーション宛でもない場合（自己のデータベース１６内に格納されているステーションリストに無いステーション宛である場合）には、有線信号送受信部１１に転送して、有線ＬＡＮ１にそのフレーム（受信した無線データ）を転送するようにしているが、これは、有線ＬＡＮ１は無線ＬＡＮに比べると、帯域が広くトラフィックに余裕も有るので、自己のアクセスポイントで管理されているステーション宛以外のデータは、有線ＬＡＮ１に送出するというような処理を行う。
【００５２】
一方、図４のステップｓ９の処理において、自己宛であると判定された場合は、図６の処理に入るが、これについて説明する。
【００５３】
自己宛のフレームを受信すると、ＡＣＫフレームを無線信号送受信部１３へ転送する（ステップｓ４１）。これによって、そのＡＣＫフレームは無線信号送受信部１３から送信元ステーションへ送信される。
【００５４】
そして、その自己宛のフレームがどのようなフレームであるかを判定するが、ここでは、接続要求フレームであるか否かを判定する（ステップｓ４２）。接続要求フレームでなければデータフレームであるとして、それをバッファメモリ１４に転送する（ステップｓ４３）。
【００５５】
一方、接続要求フレームである場合には、その接続要求フレームからその接続要求を出したステーション（ここでは、ステーションＳＴ１）のプロトコルを抽出し、そのプロトコル情報をプロトコル管理部１７に渡し、そのプロトコル情報は自己がサポートしているプロトコルであるか否かを調べるために、プロトコルメモリ１５内を検索するよう指示を出す（ステップｓ４４）。
【００５６】
これによって、プロトコル管理部１７はプロトコルメモリ１５を検索し、そのプロトコル情報が存在するか否かを調べる。
【００５７】
そして、そのプロトコルがサポートされているプロトコル情報であるか否かを判断し（ステップｓ４５）、サポートされているプロトコル情報であると判定された場合には、データ部ＤＴ（図３参照）に何もデータをセットしない接続応答フレームを作成し（ステップｓ４６）、それを無線信号送受信部１３に転送する（ステップｓ４９）。これによって、無線信号送受信部１３からは、その接続応答フレームが送信される。
【００５８】
一方、前述のステップｓ４５において、サポートされていないプロトコルであると判定された場合には、自己のアクセスポイントＡＰ１に予めデフォルトとして設定されているデフォルトプロトコル情報をプロトコルメモリ１５から読み出して（ステップｓ４７）、そのデフォルトプロトコル情報をデータ部ＤＴにセットした接続応答フレームを作成し（ステップｓ４８）、それを無線信号送受信部１３に転送する（ステップｓ４９）。これによって、無線信号送受信部１３からは、その接続応答フレームが送信される。
【００５９】
そして、タイマがセットされる（ステップｓ５０）。なお、この場合、このタイマセットはＡＣK待ち行うためにセットされるもので、一定時間内にステーションＳＴ１からＡＣＫが返ったか否かを判定し（ステップｓ５１，ｓ５２）、一定時間内にＡＣＫが返ってきた場合には、プロトコル管理部１７に対し、データベース１６内のステーションリストへの登録指示を行う（ステップｓ５３）。
【００６０】
すなわち、その時、接続が確立されて通信可能状態となったステーション（この場合、ステーションＳＴ１）のアドレスとプロトコル番号、バージョンをデータベース１６内のステーションリストに登録する。そして、その後、図４のステップｓ６に処理が移る。また、一定時間内にACKが返って来ない場合にも図４のステップｓ６に処理が移る。
【００６１】
これによって、仮に、ステーションＳＴ１のプロトコル情報がアクセスポイントＡＰ１側でサポートされていなかったとしても、これまで説明した処理がなされることによって、アクセスポイントＡＰ１側でデフォルトとして設定されているデフォルトプロトコル情報が、ステーションＳＴ１に通知されるとともに、そのステーションに関する情報がアクセスポイントＡＰ１のデータベース１６内のステーションリストに登録されることになり、以降、このステーションＳＴ１とアクセスポイントＡＰ１との間で通信を行う場合には、デフォルトプロトコル情報とステーションリストに登録された内容に基づいて通信がなされる。
【００６２】
次にステーション側（ここではステーションＳＴ１）で行われる処理について図７のフローチャートを参照しながら説明する。この図７で示される処理内容はステーションＳＴ１の制御部２２が行う処理内容である。
【００６３】
まず、パラメータ初期設定を行い（ステップｓ６１）、ビーコンを受信したか否かを判定する（ステップｓ６２）。そして、ビーコンを受信すると、自己のプロトコル情報が何であるかをプロトコル管理部２５に問い合わせを行い（ステップｓ６３）、それによって得られたプロトコル情報を接続要求フレームにセットし（ステップｓ６４）、その接続要求フレームを無線信号送受信部２１に転送する（ステップｓ６５）。これによって、無線信号送受信部２１からは接続要求フレームが発信される。
【００６４】
そして、タイマがセットされる（ステップｓ６６）。なお、この場合、このタイマセットはＡＣK待ち行うためにセットされるもので、一定時間内にアクセスポイントＡＰ１からＡＣＫが返ったか否かを判定し（ステップｓ６７，ｓ６８）、一定時間内にＡＣＫが返って来ない場合にはステップ６２に戻ってビーコンを待つ。
【００６５】
一方、一定時間内にＡＣＫが返ってきた場合には、タイマがセットされる（ステップ６９）。なお、この場合、このタイマセットはアクセスポイントＡＰ１からの接続応答フレームを待つためにセットされるもので、一定時間内にアクセスポイントＡＰ１から接続応答が返ったか否かを判定し（ステップｓ７０，ｓ７１）、一定時間内に接続応答フレームが返って来ない場合には、ステップｓ６１に処理が戻る。
【００６６】
また、一定時間内にアクセスポイントＡＰ１から接続応答フレームが返ってきた場合には、それに対するＡＣＫフレームを無線信号送受信部２１へ転送する（ステップｓ７２）。これによって、ＡＣＫフレームが無線信号送受信部２１からアクセスポイントＡＰ１に対して発信される。さらに、このＡＣＫフレームの送信とともに、アクセスポイントＡＰ１から送られてきた接続応答フレームの中にプロトコル情報がセットされているか否かを調べる（ステップｓ７３）。
【００６７】
この接続応答フレームにセットされているプロトコル情報は、アクセスポイントＡＰ１側でデフォルトとして持っているプロトコル情報であり、アクセスポイントＡＰ１側からステーションＳＴ１に対して、通信を行うためのプロトコル情報として通知されたものである。つまり、ステーションＳＴ１側から送ったプロトコルがアクセスポイントＡＰ１側でサポートされていないプロトコル情報であると判定された場合である。したがって、今後はこの接続応答フレームにセットされているプロトコル情報（デフォルトプロトコル情報）によって通信を行うということを意味している。
【００６８】
また、接続応答フレームにプロトコル情報がセットされていない場合には、ステーションＳＴ１側から送ったプロトコル情報がアクセスポイントＡＰ１でサポートされているプロトコル情報であるので、この場合には、そのプロトコル情報によって通信が可能であることを意味している。
【００６９】
なお、この接続応答フレームにプロトコル情報をセットするか否かは、図６のステップｓ４５からｓ４９において既に説明された処理によって行われる。
【００７０】
そして、前述のステップｓ７３において接続応答フレームにプロトコル情報がセットされていない場合には、もともと自分が持っているプロトコル情報での通信を行うための初期設定を行って通信を開始する（ステップｓ７６）。一方、前述のステップｓ７３において接続応答フレームにプロトコル情報がセットされている場合には、そのプロトコル情報をプロトコルメモリへ書き込むように、プロトコル管理部２５を指示し（ステップｓ７４）、これによって、そのプロトコル情報はプロトコルメモリ２４へ書き込まれる（ステップｓ７５）。そして、この新たに書き込まれたプロトコルでの通信を行うための初期設定を行って通信を開始する（ステップｓ７６）。
【００７１】
以上説明したように、この実施の形態では、アクセスポイントＡＰ１に有線データが受信された場合、その有線データが自分宛でもなく、Broadcast／Multicastフレームでもない場合には、自己のデータベース１６内に格納されたステーションリストを検索して、そのステーションリストの中に、該当するアドレス（受信した有線データの中にセットされたアドレス）を有したステーションがあるかどうかを調べ、該当するアドレスを有したステーションがあれば、受信したフレームの送信元アドレスＳAに自身のアドレスをセットする。
【００７２】
さらに、そのステーションとの間でどのようなプロトコルが設定されているかを調べて、その設定されているプロトコルを設定する。そして、このような設定がなされたフレームを無線信号送受信部１３から発信する。
【００７３】
これによって、有線ＬＡＮと無線ＬＡＮとの間のブリッジ機能を有するアクセスポイントから、このアクセスポイントに論理的に接続されるステーションに対し、有線ＬＡＮから送られてきた有線データを送信するような場合、そのステーションが当該アクセスポイントで管理されているステーションであれば、そのステーションに対応するプロトコル情報をその受信データのフレームにセットして通信を行うことができる。これにより、有線ＬＡＮによるプロトコルとステーションのプロトコルが異なっていても、有線データをステーションに送信することが可能となる。
【００７４】
また、あるアクセスポイントに無線データが受信された場合、その無線データが自分宛でもなく、Broadcast／Multicastフレームでもない場合には、自己のステーションリストを検索して、そのステーションリストの中に、該当するアドレス（受信したフレームの中にセットされたアドレス）を有したステーションがあるかどうかを調べ、該当するアドレスを有したステーションがあれば、受信したフレームの送信元アドレスＳAに自己のアドレスをセットする。また、そのステーションとの間でどのようなプロトコル情報が設定されているかを調べて、その設定されているプロトコル情報を設定する。そして、このような設定がなされたフレームを無線信号送受信部１３から発信する。
【００７５】
この場合も、その無線データの送信先であるステーションが当該アクセスポイントで管理されているステーションであれば、そのステーションに対応するプロトコルを当該無線データにセットして通信を行うことができる。これにより、アクセスポイントを介して無線通信を行う際、通信を行うためのプロトコルが異なっていても、その無線データを宛先のステーションに送信することができる。
【００７６】
さらに、あるアクセスポイントに無線データが受信され、その無線データが自己のアクセスポイント宛であると判定された場合は、その自己宛の受信データがどのようなフレームであるかを判定し、それが接続要求フレームである場合には、その接続要求フレームから、その接続要求フレームを送出したステーションのプロトコル情報を抽出し、そのプロトコル情報は自身がサポートしているプロトコル情報であるか否かを調べ、そのプロトコル情報がサポートされているプロトコル情報である場合には、そのプロトコル情報によって無線通信が可能となる。
【００７７】
一方、前述のプロトコル情報がサポートされていないプロトコル情報であると判定された場合には、自己のアクセスポイントに予めデフォルトされているプロトコル情報をプロトコルメモリから読み出して、それを接続応答フレームのデータ部にセットし、それをステーション側に送る。そして、接続が確立されて通信可能状態となった場合には、ステーションのアドレスとプロトコル番号、バージョンをデータベース１６内のステーションリストに登録する。
【００７８】
これによって、通信相手であるアクセスポイント側で、あるステーションのプロトコル情報がサポートされていなかったとしても、そのアクセスポイント側でデフォルトとして設定されているデフォルトプロトコル情報が、ステーションに通知されるとともに、そのステーションに関する情報がアクセスポイントのデータベース１６に格納されているステーションリストに登録されることになり、以降、このステーションとアクセスポイントとの間で通信を行う場合には、デフォルトプロトコル情報とステーションリストに登録された内容によって通信が可能となる。
【００７９】
なお、本発明は以上説明した実施の形態に限定されるものではなく、本発明の要旨を逸脱しない範囲で種々変形実施可能となるものである。
【００８０】
また、以上説明した本発明の処理を行うマルチプロトコル対応通信制御処理プログラムは、フロッピィディスク、光ディスク、ハードディスクなどの記録媒体に記録させておくことができ、本発明はその記録媒体をも含むものである。また、ネットワークから処理プログラムを得るようにしてもよい。
【００８１】
以上説明したように本発明によれば、アクセスポイントとステーションとの間で無線通信を行う際、ステーションのプロトコル情報がアクセスポイントでサポートしていないプロトコル情報である場合には、デフォルトとして設定されているプロトコル情報をステーションに送信し、そのステーションは送信されたプロトコル情報を用いてアクセスポイントとの間で通信を行うようにしている。このため、たとえば、アクセスポイントに対し、多数のステーションが存在するような場合、それぞれのプロトコルが異なっていても、その違いを吸収した通信が可能となる。従来ではそれぞれのプロトコルに対応したプロトコル変換装置が必要であったが、本発明によれば、その必要がなくなり、装置規模を小さくすることができ、低コスト化も図れる。
【００８２】
また、アクセスポイントは、前記ステーションに対するアクセスポイントとしての役目を果たすとともに、前記有線通信伝送路と前記ステーションとの間のブリッジ機能を有している。本発明は、有線通信伝送路としてたとえば有線ＬＡＮに接続されたアクセスポイントと、このアクセスシポイント端末に対し無線通信によりアクセス可能なステーションが存在するいわゆる無線ＬＡＮシステムにおいて、これらのそれぞれの間で相互通信を行う際、プロトコルの違いを吸収した通信が可能となるので、このような無線ＬＡＮシステムに適用されることにより大きな効果を得ることができる。
【００８３】
たとえば、このようなシステムにおいて、前記アクセスポイントが前記有線通信伝送路としての有線ＬＡＮからの有線データを受信した場合で、かつ、前記有線データの宛先が或るステーションである場合には、前記アクセスポイントは、前記或るステーションが自己の管理下にあるステーションであるか否かを判定し、前記或るステーションが自己の管理下にあるステーションであると判定した場合には、前記或るステーションのプロトコル情報を前記受信した有線データにセットして、前記有線データを前記或るステーションに対して送信するようにしている。
【００８４】
これによって、アクセスポイントを介して送られて来た或るステーション宛の有線データを、その有線データの宛先であるステーションに対して送信することができ、有線ＬＡＮから無線ＬＡＮへの通信を行う際、プロトコルの違いを吸収した通信が可能となる。
【００８５】
また、上述したシステムにおいて、前記アクセスポイントが無線データを受信した場合で、かつ、前記無線データの宛先が或るステーションである場合には、前記アクセスポイントは、前記或るステーションが自己の管理下にあるステーションであるか否かを判定し、前記或るステーションが自己の管理下にあるステーションであると判定した場合には、前記或るステーションのプロトコル情報を前記受信した無線データにセットして、前記無線データを前記或るステーションに対して送信するようにしている。
【００８６】
これによって、アクセスポイントを介して送られて来た或るステーション宛の無線データを、その無縁データの宛先であるステーションに対して送信することができ、アクセスポイントを介しての無線データ送受信を行う際、プロトコルの違いを吸収した通信が可能となる。
【００８７】
さらに、上述したシステムにおいて、前記アクセスポイントが前記ステーションからの無線データを受信した場合で、かつ、前記無線データの宛先が前記アクセスポイント自身であり、しかも、前記無線データが接続要求データである場合には、前記アクセスポイントは、前記接続要求データにセットされているプロトコル情報が前記アクセスポイントでサポートしているプロトコル情報であるか否かを判定し、前記接続要求データにセットされているプロトコル情報が前記アクセスポイントでサポートしているプロトコル情報であると判定した場合には、それによって前記ステーションとの間で通信を確立して通信動作を行い、前記接続要求データにセットされているプロトコル情報が前記アクセスポイントでサポートしていないプロトコル情報であると判定した場合には、前記アクセスポイントにデフォルトとして設定されているプロトコル情報を接続応答データにセットして前記ステーションに対して送信し、それを受け取った前記ステーションは、前記アクセスポイントから送信されたプロトコル情報を保存し、以降、前記アクセスポイントとの通信を行う際には、その保存されたプロトコル情報を用いて通信を行うようにしている。
【００８８】
これによって、ステーションとアクセスポイントとの間で通信を行う際、ステーションのプロトコルがアクセスポイント側でサポートされていなくても、アクセスポイント側でデフォルトとして設定されたプロトコル情報によって通信が可能となり、プロトコルの違いを吸収した通信が可能となる。
【図面の簡単な説明】
【図１】本発明が適用される通信システムの概略的な構成を示す図である。
【図２】図１におけるアクセスポイントとステーションの構成を示す図である。
【図３】本発明の実施の形態で用いられるフレームの構成を示す図である。
【図４】本発明の実施の形態の処理手順を説明するフローチャートであり、アクセスポイントの制御部が行う処理手順の一部を示すフローチャートである。
【図５】図４のフローチャートにおけるステップｓ５の判断処理で有線データ有りと判定した場合、それ以降の処理手順を説明するフローチャートである。
【図６】図４のフローチャートにおけるステップｓ９の判断処理で自分宛であると判定した場合、それ以降の処理手順を説明するフローチャートである。
【図７】本発明の実施の形態の処理手順を説明するフローチャートであり、ステーションの制御部が行う処理手順を示すフローチャートである。
【符号の説明】
１  有線ＬＡＮ
１１  有線信号送受信部
１２  制御部
１３  無線信号送受信部
１４  バッファメモリ
１５  プロトコルメモリ
１６  ステーション情報データベース
２１  無線信号送受信部
２２  制御部
２３  バッファメモリ
２４  プロトコルメモリ
２５  プロトコル管理部
ＡＰ１，ＡＰ２，・・・  アクセスポイント
ＳＴ１，ＳＴ２，・・・  ステーション
【図１】
0003714009.tif 000002
【図２】
0003714009.tif 000003
【図３】
0003714009.tif 000004
【図４】
0003714009.tif 000005
【図５】
0003714009.tif 000006
【図６】
0003714009.tif 000007
【図７】
0003714009.tif 000008